(57)【要約】【課題】構成要素としてシートを含む仮設の建築物の内部への雨水の侵入を生じにくくするための技術を提供する。【解決手段】シート取付用金具１００は長尺であり、外側と内側のシート２０の縁部にある肉厚部２２をそれぞれ係止するための外係止溝１１１Ａと内係止溝１１２Ａとを備えている。外係止溝１１１Ａは内係止溝１１２Ａよりもシート取付用金具１００の幅方向の中心から外側に位置している。【選択図】図６
2018178373.tif 000002
【特許請求の範囲】
【請求項１】
長尺の矩形であり、その幅方向の両端に、他の部分よりもその厚さが厚くされた肉厚部を有するシートを仮設の建築物に、外側と内側との２重にした状態で取付けるために用いられる、長尺であり、その使用時において前記シートの幅と略対応した間隔となるようにして平行に複数本配して用いられるシート取付用金具であって、
長尺である本体と、
前記本体の幅方向の両側に、前記本体の長さ方向に沿って前記本体の長さ方向の全長にわたってそれぞれ２本ずつ設けられており、その開口の幅が前記シートの厚さよりも大きく且つ前記肉厚部の厚さよりも小さくされるとともに、その内部に前記肉厚部を挿入することが可能とされた係止溝と、
を備えており、
前記本体の幅方向の片側に設けられている２本の前記係止溝のうちの一方は、外側の前記シートを取付けるための外係止溝であり、その他方は内側の前記シートを取付けるための使用時において前記外係止溝の内側に位置する内係止溝であり、前記外係止溝が、前記本体に対して前記内係止溝よりも外側に位置するようになっている、
シート取付用金具。
【請求項２】
前記外係止溝の前記開口の使用時における下側にあたる位置には、前記外係止溝から漏れ出た雨水が前記内係止溝の外側に向かって垂れ落ちるように前記外係止溝から漏れ出た雨水がそれを伝わって案内される案内突起が設けられている、
請求項１記載のシート取付用金具。
【請求項３】
長尺の矩形であり、その幅方向の両端に、他の部分よりもその厚さが厚くされた肉厚部を有するシート少なくとも一枚と、
前記シートを仮設の建築物に、外側と内側との２重にした状態で取付けるために用いられる、長尺であり、その使用時において前記シートの幅と略対応した間隔となるようにして平行に複数本配して用いられるシート取付用金具少なくとも２本と、
を含んでなるシートセットであって、
前記シート取付用金具が、
長尺である本体と、
前記本体の幅方向の両側に、前記本体の長さ方向に沿って前記本体の長さ方向の全長にわたってそれぞれ２本ずつ設けられており、その開口の幅が前記シートの厚さよりも大きく且つ前記肉厚部の厚さよりも小さくされるとともに、その内部に前記肉厚部を挿入することが可能とされた係止溝と、
を備えており、
前記本体の幅方向の片側に設けられている２本の前記係止溝のうちの一方は、外側の前記シートを取付けるための外係止溝であり、その他方は内側の前記シートを取付けるための使用時において前記外係止溝の内側に位置する内係止溝であり、前記外係止溝が、前記本体に対して前記内係止溝よりも外側に位置するようになっている、
シートセット。
【請求項４】
長尺の矩形であり、その幅方向の両端に、他の部分よりもその厚さが厚くされた肉厚部を有するシート少なくとも一枚と、
前記シートを仮設の建築物に、外側と内側との２重にした状態で取付けるために用いられる、長尺であり、その使用時において前記シートの幅と略対応した間隔となるようにして平行に複数本配して用いられるシート取付用金具少なくとも２本と、
を備えた仮設の建築物であって、
前記シート取付用金具が、
長尺である本体と、
前記本体の幅方向の両側に、前記本体の長さ方向に沿って前記本体の長さ方向の全長にわたってそれぞれ２本ずつ設けられており、その開口の幅が前記シートの厚さよりも大きく且つ前記肉厚部の厚さよりも小さくされるとともに、その内部に前記肉厚部を挿入することが可能とされた係止溝と、
を備えており、
前記本体の幅方向の片側に設けられている２本の前記係止溝のうちの一方は、外側の前記シートを取付けるための外係止溝であり、その他方は内側の前記シートを取付けるための使用時において前記外係止溝の内側に位置する内係止溝であり、前記外係止溝が、前記本体に対して前記内係止溝よりも外側に位置するようになっており、
前記シート取付用金具が、その長手方向が前記仮設の建築物のその部分における最大傾斜線に沿うようにして傾斜して配されており、
隣り合う前記シート取付用金具の対向する前記外係止溝で外側の前記シートの前記肉厚部をそれぞれ係止しているとともに、隣り合う前記シート取付用金具の対向する前記内係止溝で内側の前記シートの前記肉厚部をそれぞれ係止している、
仮設の建築物。
【発明の詳細な説明】
【技術分野】
【０００１】
本発明は、仮設の建築物において用いられる、シートを取付けるためのシート取付用金具に関する。
【背景技術】
【０００２】
例えば、建築物などを解体するには、解体現場においてパワーショベルなどの重機を用いて建築物を破壊し、細分化し、それによって生じた廃棄物を適当な方法で分別して廃棄する。
このような解体作業を、例えば、住宅地、病院、或いは学校等の近辺で行う場合には、粉塵の飛散が生じ易い。解体の対象となる建築物は古い建築物であるのが通常であるのでアスベスト等の健康に好ましくない物質を含む粉塵が生じる場合があり、また、廃棄物処分場が解体の対象となる場合にはダイオキシン等のこれも健康に好ましくない物質を含む粉塵が生じる場合がある。健康に好ましくない粉塵が生じる場合は特に、粉塵の飛散は近隣の住民等から大きな問題と捉えられやすい。
また、建物の解体には騒音がつきものであるが、それが近隣の住民との間で問題を生じる可能性がある。
【０００３】
建築物の解体作業を一例とする何らかの作業を行うときに、その作業によって生じる粉塵や騒音の外部への漏れ出しを防止するための技術の１つとして、仮設の建築物により解体の対象となる建築物の全体を覆うという技術が採用されている。
かかる仮設の建築物は、例えば、柱、梁等の骨材と、その少なくとも一部を覆うシートとによって構成される。シートは、粉塵や騒音の外部への漏れ出しを防止する目的をより強調するために二重とされる場合もある。
【０００４】
シートを仮設の建築物に固定するために、シート取付用金具が用いられている。
かかるシート取付用金具に取付けられるシートは一般に長尺の矩形であり、且つその幅方向の両端部の全長にわたって、当該部分の厚さをその他の部分よりも厚くすることにより形成された肉厚部を備えている。肉厚部は多くの場合、シートの幅方向の両端部をそれぞれ折り返して作ったシートの幅方向の両端の全長にわたる孔の中に、ある程度の太さの線状体（例えばロープ）を配置することによって形成される。
シート取付用金具は長尺であり、多くの場合、シートの長さ方向の長さに対応するようにその長さ方向で連結された状態で、且つシートの幅方向の長さに対応した間隔を空けて平行に配列して用いられる。シート取付用金具は、また、その幅方向における両端に、シートの幅方向の端部を係止するための係止溝を備えている。
係止溝は、その内部にシートの肉厚部を挿入することができるような溝であって、その係止溝の開口の幅がその奥側の幅よりも狭くなるようにされている。係止溝の開口の幅は、シートの厚さよりは大きいが肉厚部の厚さよりは小さくされている。シートの肉厚部は、係止溝の奥側の幅が広い部分に挿入される。そうすると、係止溝から抜けようとする肉厚部は、係止溝の開口の縁に干渉して抜けなくなるから、その結果肉厚部は係止溝内に係止されることになる。
シート取付用金具は、シートの幅方向の両端の肉厚部を、隣り合うシート取付用金具の対向する係止溝によってそれぞれ係止することによって、シートを固定する。
他方、２重のシートを仮設の建築物に固定するためにもシート取付用金具が用いられている。かかるシート取付用金具は、その幅方向の両端に、仮設の建築物の外側に位置するシートを固定するための外側の係止溝と、仮設の建築物の内側に位置するシートを固定するための内側の係止溝とを備えている。それにより、かかるシート取付用金具によれば、２重のシートを仮設の建築物に固定することができる。
【先行技術文献】
【特許文献】
【０００５】
【特許文献１】特許第３９２７５６７号
【発明の概要】
【発明が解決しようとする課題】
【０００６】
ところで、上述の如きシート取付用金具にも改良すべき点がある。それは、雨水が仮設の建築物の中に入り込む可能性がある、という点である。上述のシート取付用金具は、シートを傾斜した状態で固定するように、例えば仮設の建築物の屋根の部分に、シートの長手方向が最大傾斜線と一致するような状態で固定するようにして、傾斜した状態で用いられることがある。このような場合に、仮設の建築物の中に雨水が入り込むという問題が生じ易い。
上述の如きシート取付用金具は、シートの幅方向の両端部の肉厚部をその係止溝に入れた状態でシートを固定する。ここで、シートの外側の表面に付着した雨水は、係止溝に入り込むことがある。係止溝に入った雨水は、係止溝の中でシートの肉厚部を回り込んで、シートの内側に漏れ出ることがある。このようにして、雨水が、仮設の建築物の中に入り込むのである。
そしてこの問題は、シート取付用金具が二重のシートを固定するものである場合にも同様に発生する。もちろんかかる問題は、シートを用いた仮設の建築物一般に生じるものであり、建築物の解体に用いられる仮設の建築物に固有の問題ではない。
【０００７】
本願発明は、構成要素としてシートを含む仮設の建築物の内部への雨水の侵入を生じにくくするための技術を提供することをその課題とする。
【課題を解決するための手段】
【０００８】
上述の課題を解決するため、本願発明者は以下の発明を提案する。
本願発明は、長尺の矩形であり、その幅方向の両端に、他の部分よりもその厚さが厚くされた肉厚部を有するシートを仮設の建築物に、外側と内側との２重にした状態で取付けるために用いられる、長尺であり、その使用時において前記シートの幅と略対応した間隔となるようにして平行に複数本配して用いられるシート取付用金具である。
そして、本願発明のシート取付用金具は、長尺である本体と、前記本体の幅方向の両側に、前記本体の長さ方向に沿って前記本体の長さ方向の全長にわたってそれぞれ２本ずつ設けられており、その開口の幅が前記シートの厚さよりも大きく且つ前記肉厚部の厚さよりも小さくされるとともに、その内部に前記肉厚部を挿入することが可能とされた係止溝と、を備えている。また、前記本体の幅方向の片側に設けられている２本の前記係止溝のうちの一方は、外側の前記シートを取付けるための外係止溝であり、その他方は内側の前記シートを取付けるための使用時において前記外係止溝の内側に位置する内係止溝であり、前記外係止溝が、前記本体に対して前記内係止溝よりも外側に位置するようになっている。
かかるシート取付用金具は、シートを二重として取付けるための従来のシート取付用金具とかなり近い構成を採用している。従来のシート取付用金具と明確に異なるのは、その外係止溝が本体に対して内係止溝よりも外側に位置するようになっている、という点である。
仮に、２本のシート取付用金具が仮設の建築物のその部分における最大傾斜線に沿う方向で平行に配置されており、それらのうちの対向する外係止溝に外側のシートの幅方向の両端の肉厚部が背景技術の欄で説明したように係止され、それらのうちの対向する内係止溝に内側のシートの幅方向の両端の肉厚部が背景技術の欄で説明したように係止されているとする。その状態で雨が降ると、雨は外側のシートの全面に降るから、シートの幅方向の中央付近の雨水は外側のシートを伝わって流れ落ちるが、シートの幅方向の両端付近の雨水は外係止溝の中に入り込むことになる。したがって、本願のシート取付用金具を用いた場合であっても、背景技術の欄で説明したように、外側のシートの外面に降った雨水が外係止溝に入り込み、外係止溝の中で外側のシートの肉厚部を回り込んで外側のシートの内面側に至り、その後外係止溝から漏れ出してくるという現象が生じうる。
しかしながら、本願のシート取付用金具を用いた場合には、外係止溝から外側のシートの内側に漏れ出した雨水は、その下にある内側のシートに向けて垂れ落ちるが、外係止溝が本体に対して内係止溝よりも外側に位置するから、雨水が垂れ落ちる位置は内係止溝から離れたところに、言葉を変えれば内側のシートの幅方向の中央寄りとなる。したがって、かかる位置に落ちた雨水は、内側のシートの上を最大傾斜線に沿って流れ落ちることになり、内係止溝に入り込む可能性が低い。これにより、本願のシート取付用金具は、構成要素としてシートを含む仮設の建築物の内部への雨水の侵入を生じにくくすることができる。
【０００９】
前記外係止溝の前記開口の使用時における下側にあたる位置には、前記外係止溝から漏れ出た雨水が前記内係止溝の外側に向かって垂れ落ちるように前記外係止溝から漏れ出た雨水がそれを伝わって案内される案内突起が設けられていてもよい。
上述したように、本願発明のシート取付用金具における外係止溝は本体に対して内係止溝よりも外側に位置するから、外側のシートの肉厚部を外側のシートの内面側に回り込んだ後に外係止溝から漏れ出す雨水が垂れ落ちる位置は内係止溝から離れたところとなる。これにより雨水が内係止溝に入り込みにくくなるというのが、仮設の建築物の内側に雨水が侵入しにくくなる理由であるが、外係止溝が本体に対して内係止溝の外側に位置していたとしても、外係止溝から漏れ出した雨水がシート取付用金具における何かを伝わって内係止溝にまで辿り着くという可能性が無いとはいえない。シート取付用金具に上述の如き案内突起を設けることで、本願発明のシート取付用金具における上述の効果、すなわち仮設の建築物の内側に雨水が侵入しにくくなるという効果をより確実に発揮させることができるようになる。
案内突起は上述の効果を発揮させることができるのであれば、その形状、取り付け位置は特に問わない。案内突起は、シート取付用金具の長さ方向の全長にわたって存在していても構わない。
【００１０】
本願発明者は、上述のシートと、シート取付用金具との組合せによるシートセットをも本願発明の一形態として提案する。かかるシートセットを用いることにより、その内側に雨水が侵入しにくい仮設の建築物を構築できるようになる。
一例となるシートセットは、長尺の矩形であり、その幅方向の両端に、他の部分よりもその厚さが厚くされた肉厚部を有するシート少なくとも一枚と、前記シートを仮設の建築物に、外側と内側との２重にした状態で取付けるために用いられる、長尺であり、その使用時において前記シートの幅と略対応した間隔となるようにして平行に複数本配して用いられるシート取付用金具少なくとも２本と、を含んでなるシートセットである。
そしてこのシートセットにおける前記シート取付用金具は、長尺である本体と、前記本体の幅方向の両側に、前記本体の長さ方向に沿って前記本体の長さ方向の全長にわたってそれぞれ２本ずつ設けられており、その開口の幅が前記シートの厚さよりも大きく且つ前記肉厚部の厚さよりも小さくされるとともに、その内部に前記肉厚部を挿入することが可能とされた係止溝と、を備えている。またシート取付用金具は、前記本体の幅方向の片側に設けられている２本の前記係止溝のうちの一方は、外側の前記シートを取付けるための外係止溝であり、その他方は内側の前記シートを取付けるための使用時において前記外係止溝の内側に位置する内係止溝であり、前記外係止溝が、前記本体に対して前記内係止溝よりも外側に位置するようになっている。
【００１１】
本願発明者は、シートと本願発明によるシート取付用金具とを含む仮設の建築物をも本願発明の一態様として提案する。かかる仮設の建築物の効果は、その内側に雨水が侵入しにくいことである。
一例となる仮設の建築物は、長尺の矩形であり、その幅方向の両端に、他の部分よりもその厚さが厚くされた肉厚部を有するシート少なくとも一枚と、前記シートを仮設の建築物に、外側と内側との２重にした状態で取付けるために用いられる、長尺であり、その使用時において前記シートの幅と略対応した間隔となるようにして平行に複数本配して用いられるシート取付用金具少なくとも２本と、を備えた仮設の建築物である。
前記シート取付用金具は、長尺である本体と、前記本体の幅方向の両側に、前記本体の長さ方向に沿って前記本体の長さ方向の全長にわたってそれぞれ２本ずつ設けられており、その開口の幅が前記シートの厚さよりも大きく且つ前記肉厚部の厚さよりも小さくされるとともに、その内部に前記肉厚部を挿入することが可能とされた係止溝と、を備えている。またシート取付用金具は、前記本体の幅方向の片側に設けられている２本の前記係止溝のうちの一方は、外側の前記シートを取付けるための外係止溝であり、その他方は内側の前記シートを取付けるための使用時において前記外係止溝の内側に位置する内係止溝であり、前記外係止溝が、前記本体に対して前記内係止溝よりも外側に位置するようになっている。
仮設の建築物では、前記シート取付用金具が、その長手方向が前記仮設の建築物のその部分における最大傾斜線に沿うようにして傾斜して配されており、隣り合う前記シート取付用金具の対向する前記外係止溝で外側の前記シートの前記肉厚部をそれぞれ係止しているとともに、隣り合う前記シート取付用金具の対向する前記内係止溝で内側の前記シートの前記肉厚部をそれぞれ係止している。
【図面の簡単な説明】
【００１２】
【図１】一実施形態で構築される仮設の建築物を示す斜視図。
【図２】図１に示した仮設の建築物に含まれる骨部材を示す斜視図。
【図３】図１に示した仮設の建築物に含まれるシートの（Ａ）平面図と、（Ｂ）側面図と、（Ｃ）他の場合の側面図。
【図４】図１に示した仮設の建築物に含まれるシート取付用金具の正面図。
【図５】図１に示した仮設の建築物に含まれるシート取付用金具が梁部に取付けられた状態を梁部の長さ方向の延長線上から見た図。
【図６】図１に示した仮設の建築物に含まれるシート取付用金具にシートが取付けられた状態を梁部の長さ方向の延長線上から見た図。
【図７】図１に示した仮設の建築物に含まれるシート取付用金具にシートが取付けられた状態で降雨があった場合の雨水の動きを説明するための図。
【発明を実施するための形態】
【００１３】
以下、本発明の好ましい一実施形態を、図面を参照しながら詳細に説明する。
【００１４】
この実施形態では、図１に示したような仮設の建築物を建築する場合について説明することとする。
仮設の建築物は、簡単に言うと巨大なテントのようなものである。これには限られないが、この実施形態における仮設の建築物は、ビルディング、清掃工場等の既存の建築物を解体するために用いられるものであり、既存の建築物の全体をすっぽりと覆うようなものとされる。仮設の建築物は、これには限られないがこの実施形態では平面視矩形であり、大きい場合にはその長辺が１００ｍに及ぶことがあり、その高さは５０ｍに及ぶことがある。
【００１５】
この実施形態による仮設の建築物は、図１、図２に示すようにして複数の骨部材１０を備えている。図２は、骨部材１０のみを示した図である。骨部材１０は、従来の仮設の建築物におけるそれらと基本的に同じ構造で構わない。
各骨部材１０は、これには限られないがこの実施形態では等間隔で、且つ平面視した場合に平行になるようにして立てられている。
【００１６】
これには限られないが、この実施形態における各骨部材１０は同じものとされている。骨部材１０は仮設の建築物の骨材となるものであり、それに必要な剛性を有するものとなっている。骨部材１０は、これには限られないがこの実施形態では金属製の角パイプで構成されている。
骨部材１０は、いずれも棒状の２本の柱部１１と、これもいずれも棒状の２本の梁部１２とを備えて構成されている。柱部１１は仮設の建築物の柱となり壁の一部を構成するものであり、梁部１２は仮設の建築物の梁となり屋根の一部を構成するものである。柱部１１と梁部１２とは全体として一体となっていても構わないが、この実施形態における２つの柱部１１と２つの梁部１２とは別部材とされており、それらが組合せられ、後述の状態で固定されることにより、一体の骨部材１０となるようにされている。もちろん、柱部１１と梁部１２との少なくとも一方が、更に複数の部材で構成されていることもあり得る。
柱部１１は、所定の間隔を空けて、地面に対して事実上垂直に立てられるものである。柱部１１の下端は地面に固定されるが、その固定の方法は、周知又は公知技術に倣えばよい。
２つの梁部１２の一端は、２つの柱部１１の上端にそれぞれ固定されている。また２つの梁部１２の他端は互いに接続されるようになっている。平面視した場合における２つの梁部１２は一直線上になるようにされている。梁部１２の互いに接続される他端は、梁部１２の一端よりもその高さが高くなるようになっている。かかる梁部１２の構成により、仮設の建築物の屋根は、これには限られないが、いわゆる切妻型となる。
【００１７】
次に、仮設の建築物を構成するシート材について説明する。
シート２０は、従来のものとその構成は同じでよく、具体的には図３に示されたように構成される。後述するようにしてシート２０は、隣接する骨部材１０の間に張り渡される。
シート２０は、シート材２１を備えている。シート材２１は、例えば、樹脂製のシート、或いは、繊維による織物又は編物の少なくとも一方の面を樹脂でコーティングしたシートとすることができる。シート材２１を構成する樹脂の例は、塩化ビニル樹脂、ポリエチレン等であり、その厚さは、例えば０．５ｍｍ〜２．０ｍｍである。シート２０は、巻取り又は折畳みが可能とされているが、この実施形態ではその双方が可能とされており、少なくとも骨部材１０に沿って曲折可能な程度の柔軟性を有している。
シート２０は図３（Ａ）に示したように長尺の矩形である。シート２０の幅は隣り合う骨部材１０の間の間隔と同じかそれよりも若干長い長さとされている。シート２０の長手方向の長さは、骨部材１０の長さ、即ち２つの柱部１１と２つの梁部１２の長さを合わせた長さに対応したものとされている。シート２０は、複数枚のシート材を熱融着などによって貼り合わせたものであってももちろん構わない。
シート２０の幅方向の両端部には、肉厚部２２が設けられている。肉厚部２２の厚さはシート２０を構成するシート材２１の厚さよりも大きくされている。
肉厚部２２は、例えば、シート２０の両端部を図３（Ｂ）に示したように折り返して、その先端をシート２０のやや内側よりに溶着、接着、或いは縫製等により固定することで作られた、シート２０の幅方向の両端部におけるシート２０の長さ方向の全長にわたる筒状の空間の内部に、骨部材１０に沿って曲折可能な程度に柔軟なロープ２３を配することによって構成される。或いは、肉厚部２２は、図３（Ｃ）に示したように、シート２０の両端部の表裏両面に、長尺で矩形であり且つその中央を長さ方向に沿って曲折させたシート（例えば、シート材２１と形状を除いて同じように構成されたシートである。）である追加シート片２４の両端の内側面を溶着、接着、或いは縫製等により固定することで作られた、シート２０の幅方向の両端部におけるシート２０の長さ方向の全長にわたる筒状の空間の内部に、柔軟なロープ２３を配することによって構成される。
いずれにせよ、シート２０の肉厚部２２は、シート材２１の厚さよりも厚くなる。かかる肉厚部２２の厚さは、後述する外係止溝及び内係止溝に挿入することができ、且つ外係止溝及び内係止溝の開口から抜け出さないような厚さとされる。なお、シート２０の肉厚部２２以外の部分の厚さは当然に、肉厚部２２を構成するために２重又は３重になっている部分を含めて、外係止溝及び内係止溝の開口の幅よりも薄くなっている。
シート２０は、シート取付用金具を用いて骨部材１０に取付けられる。
【００１８】
次に、シート２０を骨部材１０に取付けるために用いられるシート取付用金具について説明する。
なお、以下に説明するシート取付用金具は、骨部材１０のうち梁部１２にシート２０を固定するために用いられるが、この実施形態では柱部１１へのシート２０の固定にも、同様のシート取付用金具が用いられる。
【００１９】
シート取付用金具１００の正面図を図４に示す。
シート取付用金具１００は、図４に示したような形状をしており、長尺であり、その図４における縦断面形状は、その長さ方向のすべての部分で同じである。これには限られないが、シート取付用金具１００は金属製であり、例えば押出成形によって製造される。
シート取付用金具１００は、その幅方向の両側にそれぞれ、外係止溝１１１Ａをその内側に有する断面略Ｃ字形状の外係止部材１１１と、内係止溝１１２Ａをその内側に有する断面略Ｃ字形状の内係止部材１１２とを備えている。
２つの外係止部材１１１同士は、板状体である外接続板１１３によって互いに接続されており、２つの内係止部材１１２同士は、板状体である内接続板１１４によって互いに接続されている。これには限られないが、外接続板１１３と内接続板１１４とが本願でいうシート取付用金具の本体に相当する。
また、シート取付用金具１００の幅方向の同じ側にある外係止部材１１１と内係止部材１１２とは、その一部で、より詳細には前者の図４における内側より下方と後者の外側より上方で、互いに一体化されている。
上述した外係止溝１１１Ａは、後述する外側のシート２０の肉厚部２２を係止するためのものである。外係止溝１１１Ａにはシート２０の肉厚部２２を挿入することができるようになっている。またシート２０の肉厚部２２以外の部分は外係止溝１１１Ａの開口を通過できるようになっている。上述した内係止溝１１２Ａは、後述する内側のシート２０の肉厚部２２を係止するためのものである。内係止溝１１２Ａにはシート２０の肉厚部２２を挿入することができるようになっている。またシート２０の肉厚部２２以外の部分は内係止溝１１２Ａの開口を通過できるようになっている。
外係止溝１１１Ａ乃至外係止部材１１１は、内係止溝１１２Ａ乃至内係止部材１１２よりも外側に位置するようになっている。
外係止部材１１１の外側下方、或いは別の言葉で言うなら外係止溝１１１Ａの開口の下側には、突起である案内突起１１５が設けられている。案内突起１１５は、後述するようにして垂れ落ちる雨水を案内するものである。
内係止部材１１２の下方には、固定脚１１６が設けられている。固定脚１１６は、シート取付用金具１００を骨部材１０に対して固定するために用いられるものである。固定脚１１６はその下方で外側に曲折されており、その先端に上方に突出した係止爪１１６Ａを備えている。係止爪１１６Ａの機能については後述する。
【００２０】
以上の如きシート取付用金具１００は、図５に示したようにして、骨部材１０に対して取付けられる。
骨部材１０の梁部１２に対するシート取付用金具１００の取付け方は以下の通りである。シート取付用金具１００はその長さ方向が梁部１２の長さ方向に沿うようにして、梁部１２に対して固定される。シート取付用金具１００を梁部１２に取付ける際には、固定用金具２００が用いられる。
固定用金具２００は、図５に示したような正面形状を持つ、２つで１組とされた金具である。固定用金具２００は、図５における奥行き方向に、後述するボルトの直径の例えば数倍程度の長さを持つ。つまり、固定用金具２００は長尺ではない。固定用金具２００は、梁部１２の左右のどちらか半分の外周に沿わせて用いられるものであり、その上方に、まず内向きにそして図５における下向きに曲折して形成された係止部２１１を備えている。また、固定用金具２００はその下方に、図５における下方に伸びる固定部２１２を備えている。固定部２１２には、図示を省略の孔が穿たれている。
２つの固定用金具２００における上述した係止部２１１はそれぞれ、シート取付用金具１００の２つの固定脚１１６における係止爪１１６Ａに対して外側上方から係止することができるようになっている。その状態で、２つの固定用金具２００の固定部２１２にそれぞれ穿たれた上述の孔を貫通させたボルト２２０に対してナット２３０を螺合させることにより、固定用金具２００を介してシート取付用金具１００は梁部１２に対して固定されるようになっている。各シート取付用金具１００は、その長さ方向の複数の適宜の位置で、固定用金具２００を用いて梁部１２に対して固定される。
結果として、シート取付用金具１００は、梁部１２の全長にわたるようにして梁部１２に対して固定されることになる。なお、通常はそうであるが、梁部１２の長さよりもシート取付用金具１００が短ければ、１つの梁部１２には、その長さ方向で連ねられた複数のシート取付用金具１００が固定されることになる。
シート取付用金具１００が梁部１２に取付けられたとき、シート取付用金具１００の外接続板１１３と内接続板１１４はいずれも、その断面が水平になるようにする。シート取付用金具１００は各梁部１２に取付けられるので、隣り合う骨部材１０における梁部１２に取付けられたシート取付用金具１００の互いに相手側のシート取付用金具１００に近い側の外係止溝１１１Ａ同士、及び内係止溝１１２Ａ同士は、互いに対向することになる。外係止溝１１１Ａは、仮設の建築物を基準とした場合に、内係止溝１１２Ａより外側に位置することになる。
同様にして、骨部材１０の柱部１１に対しても、柱部１１の全長にわたるようにしてシート取付用金具１００が取付けられる。シート取付用金具１００が柱部１１に取付けられたとき、シート取付用金具１００の外接続板１１３と内接続板１１４はいずれも、仮設の建築物の図１における長手方向と一致するようにする。シート取付用金具１００は各柱部１１に取付けられるので、隣り合う骨部材１０における柱部１１に取付けられたシート取付用金具１００の互いに相手側のシート取付用金具１００に近い側の外係止溝１１１Ａ同士、及び内係止溝１１２Ａ同士は、互いに対向することになる。外係止溝１１１Ａは、仮設の建築物を基準とした場合に、内係止溝１１２Ａより外側に位置することになる。また、柱部１１と梁部１２との接続部分においては、柱部１１と梁部１２とがなす角度と同じ角度で、それらにそれぞれ固定されたシート取付用金具１００の端部同士が殆ど接触した状態となる。このとき、両シート取付用金具１００における外係止溝１１１Ａ同士と内係止溝１１２Ａ同士は連続した状態となるが、外係止溝１１１Ａ同士の間、或いは内係止溝１１２Ａ同士の間に隙間が生じるようであれば、適当な部材を配することによりその隙間を埋めるようにすることも可能である。
【００２１】
このようにして骨部材１０に対して取付けられたシート取付用金具１００に対して、シート２０が取付けられる。
シート２０は、隣り合う骨部材１０の間に張り渡される。一の骨部材１０に取付けられたシート取付用金具１００における外係止溝１１１Ａ及び内係止溝１１２Ａは、隣り合う骨部材１０に取付けられたシート取付用金具１００における上記一の骨部材１０に取付けられたシート取付用金具１００に近い側の外係止溝１１１及び内係止溝１１２Ａとそれぞれ対向した状態となっている。その対向した外係止溝１１１Ａ同士を対になる外係止溝１１１Ａとして、それら２つの外係止溝１１１Ａに、それぞれ一枚のシート２０の幅方向の両端の肉厚部２２を、図２の手前側に位置する柱部１１の下端からか、又は奥側に位置する柱部１１の下端から挿入する。そして、シート２０の先端を２本の柱部１１に取付けられたシート取付用金具１００の対向する外係止溝１１１Ａにその幅方向の両端の肉厚部２２を案内させながら、当該柱部１１の上端まで引き上げる。次いで、２本の梁部１２に取付けられたシート取付用金具１００の外係止溝１１１Ａと、反対側の柱部１１に取付けられたシート取付用金具１００の外係止溝１１１Ａとにその肉厚部２２を案内させながら、シート２０の先端を、上記反対側の柱部１１の下端に至るまで移動させる。
これにより、シート２０は、隣接する２つの骨部材１０の間の一対の外係止溝１１１Ａによってその両端の肉厚部２２を係止された状態で、隣接する２つの骨部材１０の間に張り渡された状態となる。
かかる作業を、隣接する２つの骨部材１０の間のすべてにおいて行う。
また、同様の作業を、隣接する２つの骨部材１０の間の一対の内係止溝１１２Ａの間で行う。これにより、シート２０は、隣接する２つの骨部材１０の間の一対の内係止溝１１２Ａによってその両端の肉厚部２２を係止された状態で、隣接する２つの骨部材１０の間に張り渡された状態となる。もちろんこの作業は、隣接する２つの骨部材１０の間の一対の内係止溝１１２Ａの間のすべてで行われる。
シート２０が張り渡された状態を図６に示す。
【００２２】
これにより、図１における仮設の建築物の４つの側面のうちの２つの矩形の側面と、２つの矩形の屋根面にはシート２０が張り渡される。
他方、図１における２つの五角形の側面は未だ開放された状態である。２つの五角形の側面には、周知又は公知の手法を用いて適当にシートを張り渡す。必要に応じて当該側面に開閉が可能な扉４０を設けて、仮設の建築物が完成する。
【００２３】
仮設の建築物が完成した後、降雨があったとする。梁部１２を構成する部分の傾斜したシート２０に雨水が付着することを考える。
この場合、外側のシート２０の外面に雨水が付着する。かかる雨水の一部は、図７における矢印Ｗで示したように、外側のシート２０の外面を伝わって外係止溝１１１Ａの中に入り込み、外側のシート２０の肉厚部２２を回り込んで、外側のシート２０の内面側に至り、そして、再び外係止溝１１１Ａから漏れ出すことがある。このとき、雨水は外側のシート２０の内面側に位置している。かかる雨水は、更に矢印Ｗで示したように外係止部材１１１における外係止溝１１１Ａの開口の下方の部分を伝わって垂れる。外係止溝１１１Ａから出た雨水は、そのまま内側のシート２０に垂れるか、或いは少なくとも案内突起１１５にまで及んだら、そこで水滴Ｗ１となって内側のシート２０に垂れ落ちる。
いずれにせよ、雨水が垂れ落ちる内側のシート２０の外側面上における位置は、内係止溝１１２Ａからは離れたところ、言い換えれば内側のシート２０の幅方向における中央寄りの位置となる。かかる位置に落ちた雨水は、内側のシート２０の最大傾斜線に沿う方向、つまりシート取付用金具１００の長さ方向に沿って流れていくことになるから、内係止溝１１２Ａの方向に近づき内係止溝１１２Ａの中に入ることはない。これにより、内係止溝１１２Ａを介して、内側のシート２０の更に内側、つまり仮設の建築物の内部に雨水が侵入することがなくなる。
仮設の建築物の側面を構成するシート２０に対応する部分では以上のような効果は生じないが、少なくともシート取付用金具１００によって構成される以上の取付構造が、雨水の仮設の建築物への侵入を促進することはない。
【００２４】
なお、この実施形態では、シート取付用金具１００は骨部材１０に沿うようにして骨部材１０に対して固定されるものとなっていたが、シート取付用金具１００とシート２０との位置関係が以上の実施形態で説明した位置関係を保てるのであればシート取付用金具１００と骨部材１０の位置関係は上述の実施形態の如くに限定されるものではない。例えば、図１において平行に並んでいる骨部材１０同士を結ぶ骨部材を新たに設け、その骨部材１０にシート取付用金具１００を固定することが可能である。
また、上述の実施形態では、シート取付用金具１００は骨部材１０の全長にわたって存在していたが、シート取付用金具１００は少なくとも梁部１２に、或いは梁部１２と同様の傾斜がある部分に存在していれば足りる。梁部１２の全長にそってシート取付用金具１００が配されるのであれば、その場合におけるシート２０の長さは一本の骨部材１０に含まれる２本の梁部１２の長さを合計した長さとされる。
【符号の説明】
【００２５】
１０  骨部材
１１  柱部
１２  梁部
２０  シート
２１  シート材
２２  肉厚部
２３  ロープ
１００  シート取付用金具
１１１  外係止部材
１１１Ａ  外係止溝
１１２  内係止部材
１１２Ａ  内係止溝
１１５  案内突起
２００  固定用金具
【図１】
2018178373.tif 000003
【図２】
2018178373.tif 000004
【図３】
2018178373.tif 000005
【図４】
2018178373.tif 000006
【図５】
2018178373.tif 000007
【図６】
2018178373.tif 000008
【図７】
2018178373.tif 000009